(57)【特許請求の範囲】
【請求項１】
洗濯機の外枠と、この外枠の上部に備わるトップカバーと、このトップカバーに備わる開閉自在なる蓋と、トップカバーに備わる蓋ロックユニットと、この蓋ロックユニットに備えられ、かつ前記蓋に係合・離脱する蓋ロックレバーとを有するものであって、
蓋ロックユニットのユニット枠体内に、横並びに蓋ロックソレノイドおよび蓋ロック検出スイッチを備え、蓋ロックソレノイドに出入り移動するプランジャーを備え、このプランジャーを突き出す方向に付勢する引き出しばねを備え、プランジャーの先端側にストッパー受片を備え、ストッパー受片に連結凸部を設け、プランジャーの先端側に連結凸部が嵌まる連結孔を設け、この連結孔は連結凸部が遊び程度に動けるように大きく形成し、前記ユニット枠体の外側に揺動自在に支持し、蓋ロックレバーには、ストッパー受片が突き出て来るのを阻んだり、逆にストッパー受片１６０にて行く手が阻まれたりするストッパー片を設け、蓋ロックレバーが前記蓋に係合して蓋を閉じておく蓋ロックの状態では前記ストッパー受片が突き出てストッパー片の行く手を阻んで蓋ロックの状態を保持し、蓋を開くことができる蓋ロックでない状態では引き出しばねにより突き出ようとする前記ストッパー受片をストッパー片で阻むことを特徴とする洗濯機。
【発明の詳細な説明】
【０００１】
【発明の属する技術分野】
本発明は、洗濯機に関し、特に洗濯機の蓋が洗濯行程または脱水行程では開けることができないようにロックしておくロック機構に関するものである。
【０００２】
【従来の技術】
従来のロック機構は、蓋ロックユニット全体をユニット枠体の納め、蓋ロックレバーのロック爪をユニット枠体から突き出す構成にしていた。このため、ユニット枠体が大きくなって洗濯機に蓋ロックユニットを取り付けにくいと言う問題があった。
【０００３】
最近、特に洗濯機の丈を低く抑えて使い易さを求める傾向が強く、蓋ロックユニット全体を備えるトップカバーの高さをできるだけ低く抑えようとすると、蓋ロックユニットを全体的に小さくしなければならない。
【０００４】
【発明が解決しようとする課題】
本発明は、上記の問題点に鑑みて、蓋ロックユニットの小形化を図って、高さの低いトップカバーに配置できるようにしたものである。
【０００５】
それに加え、蓋ロック状態が衝撃等で容易に解除しないものを提供するものである。
【０００６】
【課題を解決するための手段】
本発明は、洗濯機の外枠と、この外枠の上部に備わるトップカバーと、このトップカバーに備わる開閉自在なる蓋と、トップカバーに備わる蓋ロックユニットと、この蓋ロックユニットに備えられ、かつ前記蓋に係合・離脱する蓋ロックレバーとを有するものであって、蓋ロックユニットのユニット枠体内に、横並びに蓋ロックソレノイドおよび蓋ロック検出スイッチを備え、蓋ロックソレノイドに出入り移動するプランジャーを備え、このプランジャーを突き出す方向に付勢する引き出しばねを備え、プランジャーの先端側にストッパー受片を備え、ストッパー受片に連結凸部を設け、プランジャーの先端側に連結凸部が嵌まる連結孔を設け、この連結孔は連結凸部が遊び程度に動けるように大きく形成し、前記をユニット枠体の外側に揺動自在に支持し、蓋ロックレバーには、ストッパー受片が突き出て来るのを阻んだり、逆にストッパー受片にて行く手が阻まれたりするストッパー片を設け、蓋ロックレバーが前記蓋に係合して蓋を閉じておく蓋ロックの状態では前記ストッパー受片が突き出てストッパー片の行く手を阻んで蓋ロックの状態を保持し、蓋を開くことができる蓋ロックでない状態では引き出しばねにより突き出ようとする前記ストッパー受片をストッパー片で阻むことを特徴とするものである。
【０００７】
【発明の実施の形態】
本発明の実施形態を図面を参照して説明する。
【０００８】
図１は、本発明の一実施形態を示す全自動洗濯機の縦断面図である。図２はこの全自動洗濯機の平面図である。図１，図２に示すとおり、外枠１の内部には外槽２が吊り棒３，防振機構４をもって吊り下げられている。外槽２の内部には洗濯兼脱水槽５が回転自在に備わっている。洗濯兼脱水槽５の内底部には反転回転自在なる撹拌翼６が備わっている。
【０００９】
外槽２の下面には、回転切り換え機構７，モータ８が備わっている。切り換え機構７のプーリ９とモータ８のプーリ１０にはベルト１１が掛けられている。モータ８の回転は切り換え機構７により、撹拌翼６に伝達されたり、あるいは撹拌翼６と洗濯兼脱水槽５に伝達される。
【００１０】
外枠１の上部には、トップカバー１２が備わる。トップカバー１２の下側には給水弁１３が備えられ、水道が給水弁１３に接続される。この給水弁１３を介して水道水が洗濯兼脱水槽５に注がれるのである。
【００１１】
外槽２の底部に排水路が接続され、排水路に排水弁１４が備わっている。トップカバー１２の前側内部に蓋ロックユニット１５が備わっている。この蓋ロックユニット１５はトップカバー１２に備わる二枚折りの蓋１６をロックするものである。蓋１６のところに点線で示しているのが衣類の投入口１７で、この投入口１７を塞ぐのが蓋１６である。
【００１２】
蓋１６は衣類の出し入れ以外は閉じた状態に置かれる。脱水運転中は、もちろん洗濯運転中，給排中も蓋１６は閉じられ、しかも蓋ロックユニット１５でロックがかけられ、蓋１６を開くことができないようになっている。
【００１３】
トップカバー１２の前側上面には操作パネル１８が備わっている。この操作パネル１８には各種入力スイッチが備わっているのである。
【００１４】
図３は、この全自動洗濯機の大まかな全体回路である。
【００１５】
図３に示すようにマイコンを含む運転制御回路２０にＦＬＳ回路２１（駆動回路），電源回路２２，スタートスイッチ２３，蓋ロック解除スイッチ２４，蓋ロック検出スイッチ２５が接続されている。ＦＬＳ回路２１と交流電源の間にモータ８，排水弁１４，給水弁１３，蓋ロックソレノイド２６が接続されている。
【００１６】
次に本発明の主要部である蓋ロックユニット１５の実施形態を図４から図２７までを参照しながら説明する。
【００１７】
図４，図５，図６に示すように蓋ロックユニット１５は、トップカバー１２の前側内部に備わる。図４は蓋１６が閉じられていない状態を、図５，図６は蓋  １６が閉じられている状態を示している。
【００１８】
蓋ロックユニット１５は、ユニット枠体３０を有する。このユニット枠体３０は、合成樹脂で形成されている。ガラス繊維入りのポリプロピレンを用いているので丈夫である。
【００１９】
ユニット枠体３０は、前述した蓋ロックソレノイド２６，蓋ロック検出スイッチ２５が備わっている。蓋ロックソレノイド２６には、ヨーク３１とプランジャー３２が備わっている。
【００２０】
ユニット枠体３０には、蓋ロックレバー４０が回動自在に取り付けられている。
【００２１】
蓋ロックレバー４０は、ロックレバー主体４１とストッパー４２と蓋押上げ部材４３を有する。
【００２２】
ロックレバー主体４１，ストッパー４２は、ガラス繊維入りポリプロピレンの合成樹脂で形成されているので丈夫である。蓋押上げ部材４３はジュラコン（商品名）の合成樹脂で形成されているので丈夫である。
【００２３】
ロックレバー主体４１は、図１７に示すようにユニット枠体３０の下部に設けた支持足４４，４５の支持軸４６，４７に回動自在に支持される。またストッパー４２も支持軸４６，４７に回動自在に支持される。
【００２４】
ロックレバー主体４１は、図２２，図２３，図２４に示すように、二本の柱部４８，４９、取付足５０，５１、取付足５０，５１に形成した軸受穴５２，５３、ロック爪５４，囲いガイド５５，天板５６を有する。
【００２５】
ストッパー４２は、図２５，図２６に示すように、柱部５７，取付足５８，  ５９、取付足５８，５９に形成した軸受穴６０，６１、ストッパー片６２，ばね止め片６３，ガイド片６４を有する。
【００２６】
ガイド片６４は、ばね受け座６５，ばね止めピン６６，案内横杆６７を有する。
【００２７】
ロックレバー主体４１は、ストッパー４２と組合される。
【００２８】
ロックレバー主体４１の両柱部４８，４９の間にストッパー４２の柱部５７が、囲いガイド５５内にガイド片６４が、取付足５０，５１の間に取付足５８，５９が納まるようにして組合される。こうすることで、ロックレバー主体４１の軸受穴５２，５３とストッパー４２の軸受穴６０，６１が揃うのである。またばね止め片６３の上端面が天板５６の下面にほぼ接触するようになる。
【００２９】
ロックレバー主体４１とストッパー４２が組合されたところにさらに、蓋押上げ部材４２が組合される。蓋押上げ部材４３は、囲いガイド５５内に嵌め込んで組合される。囲いガイド５５により、周囲よりガイドされて蓋押上げ部材４３は囲いガイド５５内を上下にスライドする。また蓋押上げ部材４３は、内側端が案内横杆６７で受けとめられる。囲いガイド５５，案内横杆６７を合せて、四面で蓋押上げ部材４３は、スライド自在に支持されるのである。
【００３０】
蓋押上げ部材４３の内部には、図４，図５，図６に示すように天上面から下方に突き出すばね受け突起７０が形成されている。ばね受け突起７０に、前記ばね止めピン６６がスライド自在に深く挿入される。
【００３１】
挿入孔７１が形成されている。
【００３２】
挿入孔７１にばね止めピン６６が挿入された状態で蓋押上げ部材４３は、上下にスライドする。蓋押上げ部材４３の上下スライドの案内は、囲いガイド５５，案内横杆６７および挿入孔７１とばね止めピン６６により行われるのである。
【００３３】
またばね受け突起７０の周囲につる巻き状の押し上げばね７２が嵌められ、かつ押し上げばね７２の上端は蓋押上げ部材４３の天上面に、押し上げばね７２の下端は前記ばね受け座６５をそれぞればね力で押しているので、蓋押上げ部材  ４３には、常に上向きの力が付勢されているのである。
【００３４】
蓋押上げ部材４３は、下端外周に抜け止めつば７３が形成されている。押し上げばね７２で押し上げられた蓋押上げ部材４３は、抜け止めつば７３が囲いガイド５５の下端に当接して止められるので、蓋押上げ部材４３が囲いガイド５５の上方に脱落することはない。また蓋押上げ部材４３を押し上げばね７２に抗して押し下げたときには、ばね受け突起７０の下端がばね受け座６５に突き当って止められるので、蓋押上げ部材４３が囲いガイド５５の下方に脱落することはないのである。
【００３５】
上記のようにロックレバー主体４１，ストッパー４２および蓋押上げ部材４３が組合されて蓋ロックレバー４０が構成されるのである。
【００３６】
この蓋ロックレバー４０は、ユニット枠体３０の支持軸４６，４７に軸受穴  ５２，５３および６０，６１を嵌合させて回動自在に支持されているのである。ユニット枠体３０について、さらに詳しく説明する。図４から図１８までに示すように、ユニット枠体３０は、大部分が壁８０で囲まれている。ユニット枠体３０の底板８１には、立上り仕切壁８２，８３，８４，８５が一体に形成されている。立上り仕切壁８２，８３は直角につながっている。立上り仕切壁８４，  ８５も直角につながっている。立上り仕切壁８３，立上り仕切壁８４および壁  ８０で前記蓋ロックソレノイド２６をユニット枠体３０に受け止めている。立上り仕切壁８５は、蓋ロックソレノイド２６のプランジャー３２のガイドにしている。
【００３７】
蓋ロック検出スイッチ２５は蓋ロックソレノイド２６に隣接するようにしてユニット枠体３０内に納まっている。
【００３８】
蓋ロック検出スイッチ２５は、二枚の可動接点を有する。上側可動接片板９０と下側可動接片板９１は、支持台９２に根元側が固定支持されている。上下可動接片板９０，９１は、燐青銅板で形成され、間隔をとって対向するように設けられ、先端側に接点９３，９４が備わっている。支持台９２は絶縁材で形成され、上下可動接片板９０，９１の間に介在する間隔保持板９５を有する。
【００３９】
支持台９２が、支持凹部９６，立上り仕切壁８２，壁８０で保持されることで、蓋ロック検出スイッチ２５はユニット枠体３０内に取り付けられるのである。この蓋ロック検出スイッチ２５は、洗濯機の蓋１６が開いているときには、接点９３，９４は開いている。蓋１６が閉じられると、接点９３，９４が閉じられる。また閉じられている接点９３，９４は、後述する安全レバーが洗濯機の異常動作で作動したときに、開かれる。詳しくは後述する。
【００４０】
このようにユニット枠体３０には、蓋ロックソレノイド２６と蓋ロック検出スイッチ２５が隣合せて横並びに収納されるのである。
【００４１】
蓋ロックソレノイド２６と蓋ロック検出スイッチ２５が納ったユニット枠体  ３０は、上蓋１００でカバーされるのである。図１３から図２１を参照して上蓋１００および上蓋１００とユニット枠体３０との関係について説明する。
【００４２】
図１９は上蓋１００を裏返して内側から見た平面図である。図２０は図１９をＰ矢印の方から見たＰ矢視図である。図２１はユニット枠体３０と上蓋１００を組合せる前の向合せ状態での断面図である。図示されているとおり、上蓋１００は天板１０１の周囲を囲う丈の低い下向壁１０２が形成されている。対向する個所には係止壁１０３，１０４が下向壁１０２よりも下方に延在するように形成されている。係止壁１０３，１０４の下端内側には係止爪１０５，１０６が形成されている。係止壁１０３，１０４が設けられていない個所に係止片１０７が下向壁１０２から下方に延在するように形成されている。係止片１０７の下端外側には係止爪１０８が形成されている。
【００４３】
ユニット枠体３０と上蓋１００を図２１に示すように向い合せた状態で、上蓋１００をユニット枠体３０に押し込むことにより上蓋１００はユニット枠体３０に取り付けられる。
【００４４】
上蓋１００が押し込まれる際に、係止壁１０３，１０４の先端側が外側に広がるように曲がるので、押し込み易いのである。それは上蓋１００，係止壁１０３，１０４が合成樹脂（ガラス繊維入りポリプロピレン）で形成されているので撓み易いからである。また係止爪１０５，１０６の先端が傾斜になっているので、係止壁１０３，１０４を押し込む際に傾斜がついている分、かじりが少なく、押し込み易いのである。
【００４５】
奥まで押し込まれると、係止爪１０５，１０６がユニット枠体３０の壁８０の下段部１０９，１１０に係合する。この係止爪１０５，１０６と下段部１０９の係合により、ユニット枠体３０に取り付けられた上蓋１００は容易に外れないのである。
【００４６】
また上蓋１００がユニット枠体３０に取り付けられると、ユニット枠体３０の壁８０に形成している小溝１１１に、上蓋１００の下向壁１０２に形成している小突条１１２が嵌合する。小溝１１１と小突条１１２の嵌合で、ユニット枠体  ３０の壁８０と下向壁１０２とは単に突き合さるだけでなく、互いに結合されて丈夫になる。また水分もユニット枠体３０内に入りづらくなる。蓋ロック検出スイッチ２５，蓋ロックソレノイド２６の絶縁不良ないし動作不良が生じなくなるのである。
【００４７】
さらに上蓋１００のユニット枠体３０への取り付けで、前記係止片１０７の係止爪１０８もユニット枠体３０に係合する。すなわち、ユニット枠体３０に形成している差し込み孔１１３に係止片１０７が差し込まれ、下方に設けられている下段部１１４に係止爪１０８が係合するので、上蓋１００はユニット枠体３０から、さらに外れづらくなるのである。係止爪１０８の先端が傾斜になっているので、差し込み孔１１３に係止片１０７を差し込むときに、かじりが少なく、係止壁１０３，１０４と同様にそれだけ上蓋１００をユニット枠体３０に取り付けるときの作業性がよいのである。
【００４８】
図１５は、図１４の１５／Ｉ−１５／II断面図である。図１６は、図１４の  １６／Ｉ−１６／II断面図である。図１４，図１５に示されているように、枠体３０の底板８１に、前記蓋ロック検出スイッチ２５の下側可動接片板９１を操作する蓋ロック検出操作片１２０が形成されている。この蓋ロック検出操作片120 は、ユニット枠体３０の底板８１と一体に形成されている。蓋ロック検出操作片１２０は、底板８１とつながるつけ根のところを除いて周囲に切り離しのための切り溝が形成されている。この蓋ロック検出操作片１２０は、前記つけ根のところの支点として上下に動く。つけ根のところだけがえぐられて薄肉になっているので動き易くなっている。
【００４９】
蓋ロック検出操作片１２０の先端には、上凸部１２１と下凸部１２２が形成されている。上凸部１２１が前記下側可動接片板９１に当接する。下凸部１２２は後述する蓋ロック検出外部操作板に当接する。
【００５０】
また図１４，図１６に示されているように、ユニット枠体３０の底板８１には、蓋ロック検出スイッチ２５の上側可動接片板９０を操作する。脱水異常検出操作片１２３が形成されている。この脱水異常検出操作片１２３は、ユニット枠体３０の底板８１と一体に形成されている。脱水異常検出操作片１２３は、底板  ８１とつながるつけ根のところを除いて周囲に切り離しのための切り溝が形成されている。この脱水異常検出操作片１２３は、前記つけ根を支点として俯仰するように上下に動く。脱水異常検出操作片１２３の先端上側には上向凸部１２４が、中間の下側には下向凸部１２５が形成されている。上向凸部１２４は前記上側可動接片板９０に当接する。下向凸部１２５は後述する脱水異常検出レバーの外部操作部に当接する。
【００５１】
図４から図１０に示すように、前述した蓋ロックレバー４０は、さらに、蓋ロック検出外部操作板１３０を有する。この蓋ロック検出外部操作板１３０は、蓋ロックレバー４０を構成するロックレバー主体４１あるいはストッパー４２と一体に形成してもよいが、本実施形態では別体に形成されている。
【００５２】
蓋ロック検出外部操作板１３０は、蓋ロックレバー４０内に組込まれ、蓋ロックレバー４０の回動と一緒に揺動する。
【００５３】
この蓋ロック検出外部操作板１３０は、ロックレバー主体４１と同じ合成樹脂で形成されているが、薄い金属板（鋼板，ステンレス鋼板等）で形成してもよい。
【００５４】
蓋ロック検出外部操作板１３０は、蓋ロックレバー４０に取り付けるつけ根近傍に湾曲部１３１を有し、その先はまっすぐ延びている。蓋ロック検出外部操作板１３０の先端側には、上面に押圧凸部１３２が形成されている。この押圧凸部１３２は前記蓋ロック検出操作片２０の下凸部１２２と対向する位置に設けられている。
【００５５】
蓋ロックレバー４０が揺動することにより、押圧凸部，下凸部１２２を介して蓋ロック検出操作片１２０が動かされ、さらに下側可動接片板９１が押し上げるように動かされるのである。
【００５６】
図４から図１０に示すように、脱水異常検出レバー１４０は、蓋ロックレバー４０と同様にユニット枠体３０の支持足４４，４５に揺動自在に支持されている。
【００５７】
脱水異常検出レバー１４０は、肩部１４１と、肩部１４１から下方に延在する腕部１４２を有する。肩部１４１の先端左右には突起軸１４３，１４４が形成されている。この突起軸１４３，１４４は、図１７に示す前記支持軸４６，４７の内側に形成している軸受孔１４５，１４６に回動自在に支持される。
【００５８】
軸受孔１４６は通常の円形穴であるが、軸受孔１４５は、図１５，図１６に示すように、上方に延びる楕円のような縦長の穴になっている。前記支持軸４６のほぼ上半分は開口になっているのである。
【００５９】
このために、突起軸１４５の方は縦長の軸受孔１４５の範囲に上下に移動できる。つまり、円形穴である軸受孔１４６に嵌った突起軸１４４を支点として突起軸１４５が軸受孔１４５内を上下に移動できるので、脱水異常検出レバー１４０は図１０に示す大きく傾くように動けるのである。
【００６０】
もちろん、突起軸１４５が軸受孔１４５の下側に位置したままで脱水異常検出レバー１４０が図６に示すように動けるものである。
【００６１】
脱水異常検出レバー１４０は、腕部１４２の上部に立上がる外部操作部１４７を有する。この外部操作部１４７の上端は前記脱水異常検出操作片１２３の下向凸部１２５に対向するように配置されている。
【００６２】
脱水異常時に、脱水異常検出レバー１４０が作動し、外部操作部１４７で下向凸部１２５が押され、脱水異常検出操作片１２３が動かされる。
【００６３】
脱水異常検出レバー１４０の外部操作部１４７には、図７から図１０に示すように係止突起１５０が形成されている。この係止突起１５０は、図１８に示すように、ユニット枠体３０の下面に形成した受け止フック１５１に係止される。さらに脱水異常検出レバー１４０にはつるまき状の押し戻しばね１５２が備わっている。この押し戻しばね１５２は、脱水異常検出レバー１４０の腕部１４２の上部に設けたばね受け上向突起１５３とユニット枠体２０の底板８１の下面に形成したばね受け下向突起１５４の間に取り付けられる。
【００６４】
この押し戻しばね１５２により、脱水異常検出レバー１４０は、図４から図６に示す状態にあって、軸受孔１４５，１４６を中心として時計方向に回わる力を受けるが、前記したように係止突起１５０が受け止めフック１５１に係止されているために、図４，図５に示す位置より右方向に行かないのである。脱水異常にならなければ、脱水異常検出レバー１４０は図４，図５の状態に位置するのである。
【００６５】
蓋ロックソレノイド２６について、さらに詳しく説明する。
【００６６】
図１１，図１２，図２７に示すように、蓋ロックソレノイド２６のプランジャー３２にストッパー受片１６０が備わっている。プランジャー３２は、鋼板等の強磁性体で形成されているのに対し、ストッパー受片１６０はプラスチック（ジュラコン）で形成されている。
【００６７】
ストッパー受片１６０は、底板部１６１と、底板部１６１より高い台部１６２を有する。底板部１６１の下面には長手方向に走るガイド溝１６３が形成されている。このガイド溝１６３に摺動自在に嵌合するガイドレールが図示はされていないが前記ユニット枠体３０の底板８１に設けられるのである。
【００６８】
前記台部１６２にはばね受け凹部１６４が形成されている。このばね受け凹部１６４は矩形状をなしている。台部１６２の上面には連結凸部１６５が形成されている。この連結凸部１６５は台部１６２の上方に立上がるように形成され、半円柱形状をなしている。ばね受け凹部１６４の縁部に立上がるように設けられた連結凸部１６５は、平坦部がばね受け凹部１６４の縁部と面一になるように形成されている。
【００６９】
前記プランジャー３２の先端側に連結孔１６６が形成されている。この連結孔１６６は円形状をなしている。連結孔１６６の内径は、前記連結凸部１６５の外径と同じか、大き目にしている。プランジャー３２は、前記台部１６２に重ねられ、かつ連結孔１６６に連結凸部１６５が嵌ってストッパー受片１６０と連結される。
【００７０】
プランジャー３２とストッパー受片１６０の連結は、遊びがある。円形の連結孔１６６と半円形の連結凸部１６５と連結であるので、半径分が遊びになっている。
【００７１】
プランジャー３２の引き出しばね１６７は、一端が連結孔１６６からばね受け凹部１６４に挿入されて係止される。他端は図１１，図１２，図１４に示すように、ユニット枠体３０の立上り仕切壁８４に形成したばね受け溝１６８に係止される。
【００７２】
この引き出しばね１６７のばね力で、プランジャー３２は、蓋ロックソレノイド２６から引き出されるのである。蓋ロックソレノイド２６に通電されると、プランジャー３２は引き出しばね１６７のばね力に抗して蓋ロックソレノイド２６の奥側に引き込まれるのである。
【００７３】
プランジャー３２が引き込まれた状態にあっては、図４，図７，図１２に示すように、蓋ロックレバー４０のストッパー片６２の行く手を阻むストッパー受片１６０が後退しているので、ストッパー片６２は立上り仕切壁８５に当接するまで来るのである。
【００７４】
逆にプランジャー３２が引き込まれない状態にあっては、図６，図８，図１に示すように、蓋ロックレバー４０のストッパー片６２がストッパー受片１６０の側面に突き当って止められるのである。
【００７５】
上記のように、ストッパー片６２がストッパー受片１６０の側面に突き当っている状態にあって、蓋ロックソレノイド２６に通電されないのにプランジャー  ３２が引き込んでしまう誤動作を防止するために、プランジャー３２の先端にストッパー受片１６０を備えたのである。なお、誤動作防止について、後で詳しく述べる。誤動作が生じなければ、あるいはプランジャー３２が引き込んでしまう誤動作を他の解決手段で解決できれば、プランジャー３２でストッパー片６２を直接受けるようにしてもよい。
【００７６】
蓋ロックレバー４０は、復帰ばね１７０が備わっている。復帰ばね１７０は、図４，図５に示すように、前記上蓋１００のばね止めフック１７１と前記ストッパー４２のばね止め片６３に形成したばね止め溝１７２に掛けられている。上蓋１００は、復帰ばね１７０が落し込まれるように凹を形成している。復帰ばね  １７０は、蓋ロックレバー４０が洗濯機の蓋１６をロックするように逆うように付勢されている。
【００７７】
図４，図５，図２５に示すようにストッパー４２のばね止め片６３とストッパー片６２との間に溝１７３が形成されている。蓋ロックレバー４０が回動する際に、上蓋１００の平板１０１が溝１７３を出入りする状態になる。蓋ロックユニット１５は上記のような構造を有するのである。この蓋ロックユニット１５は、蓋ロックレバー４０が洗濯機の蓋１６に対向し、脱水異常検出レバー１４０の腕部１４２が外槽２の上側外周に隙間を介して対向するように配置される。ユニット枠体３０の両端に設けたねじ通し孔１７４，１７５にねじを通して前記トップカバー１２に蓋ロックユニット１５は締付け固定される。
【００７８】
図４，図５，図６に示すように、蓋ロックユニット１５をも被うトップカバー上カバー１７６には蓋ロックレバー４０のロック爪５４が揺動する際に出入りする切り欠き１７７が形成されている。また洗濯機の蓋１６にはロック爪５４と対向する手前側端部に爪受部１７８が形成されている。この爪受部１７８は、奥側に壁１７９が、底側に底板部１８０を有する凹になっている。
【００７９】
図４は、洗濯機の蓋１６が蓋ロックレバー４０でロックされていない状態を示している。蓋１６が蓋ロックレバー４０の蓋押上げ部材４３で押上げられて蓋  １６を開けることができるような状態になっている。爪受部１７８に手を掛けて容易に蓋１６を開くことができる。爪受部１７８は取っ手を兼ねているのである。
【００８０】
図５は、洗濯機の蓋１６が蓋ロックレバー４０でロックされている状態を示している。蓋ロックレバー４０のロック爪５４が蓋１６の爪受部１７８を引っ掛けて引き込み、蓋１６を閉じているのである。爪受部１７５（取っ手）がトップカバー上カバー１７６の内側にかくれてしまうので、蓋１６を開くことができなくなるのである。
【００８１】
以上が本発明の実施形態を主として構成の面から説明したものである。
【００８２】
次に本発明の実施形態を主として動作の面から説明する。
【００８３】
図４に示す状態にあっては、洗濯機の蓋１６が蓋ロックレバー４０でロックされていないので、取っ手を兼ねた爪受部１７８に手を掛けて蓋１６は開けられる。洗濯物，洗剤等を投入口１７より入れた後に、蓋１６を閉じて、蓋１６を下に押す。
【００８４】
蓋ロックレバー４０の蓋押上げ部材４３は、蓋１６の爪受部１７８の底板部  １８０で押されて下がる。押し上げばね７２は、蓋ロックレバー４０の復帰ばね１７０より弱いので、蓋ロックレバー４０が回転する前に、押し上げばね７２に抗して蓋押し上げ部材４３が降下する。蓋押し上げ部材４３の降下後に、支持軸４６，４７を支点として蓋ロックレバーが復帰ばね１７０に抗して反時計方向に回動する。この回動にともなって、ロック爪５４が蓋１６の爪受部１７８に入り込み、図５に示す状態になる。
【００８５】
前記ストッパー４２は、蓋ロックレバー４０と一緒に回動するので、ストッパー片６２は蓋ロックソレノイド２６のプランジャー３２およびストッパー受片  １６０のところから立ち退くようになる。プランジャー３２は、引き出しばね  １６７の力で蓋ロックソレノイド２６から引き出される。蓋１６の押し下げを止めて蓋ロックレバー４０が復帰ばね１７０の力で時計方向に回転しようとしても、既にストッパー片６２の前にはストッパー受片１６０が存在し、ストッパー片６２の先端がストッパー受片１６０の台部１６２の側面に突き当る。このため蓋ロックレバー４０は、それ以上時計方向に回転できなく、図５に示す蓋１６のロック状態が保持されるのである。
【００８６】
この蓋ロック状態にあっては、蓋ロックレバー４０と一緒に回転する蓋ロック検出外部操作板１３０により、蓋ロック検出スイッチ２５が閉成作動する。
【００８７】
すなわち、蓋ロック検出外部操作板１３０の押圧凸部１３２が蓋ロック検出操作片１２０の下凸部１２２を下から押し、蓋ロック検出操作片１２０の上凸部  １２１が蓋ロック検出スイッチ２５の下側可動接片板９１を下から押すことにより、下側可動接片板９１は上側に撓んで下側可動接片板９１の接点９４が上側可動接片板９０の接点９３に接触して蓋ロック検出スイッチ２５はＯＮする。
【００８８】
このように洗濯機の蓋１６が閉じられ、図３に示す蓋ロック検出スイッチ２５が閉じられることにより、洗濯機は運転できる状態になる。
【００８９】
ここで、スタートスイッチ２３をＯＮすると、給水弁１３が開かれて給水される。給水が済むと、モータ８に通電されて洗濯行程が実行され、その後排水弁  １４が開かれて排水が済むと脱水行程が実行される。引き続き、すすぎ行程が実行され、最終脱水行程が実行された後に洗濯が終了するのである。
【００９０】
洗濯終了後も蓋１６は、蓋ロックレバー４０でロックされている。ここで、蓋ロック解除スイッチ２４をＯＮすると、蓋ロックユニット１５の蓋ロックソレノイド２６に通電され、プランジャ３２が蓋ロックソレノイド２６側に、引き出しばね１６７に抗して移動する。ストッパー片６２の先端を受け止めていたストッパー片１６０も一緒に移動して立ち退いてしまうので、復帰ばね１７０に引っ張られて蓋ロックレバー４０は時計方向に回転する。蓋ロックレバー４０のロック爪５４が蓋１６の爪受部１７６から外れ、蓋１６は、蓋押し上げ部材４３の押し上げばね７２で押し上げられて図４に示す元の状態に戻る。
【００９１】
上記の洗濯運転中の脱水行程で、洗濯兼脱水槽５のアンバランス回転により外槽２が異常振動を起すと、蓋ロック検出スイッチ２５がＯＦＦし、運転制御回路２０の指示でモータ８の回転を止めて運転終了にしたり、脱水運転を途中で飛ばして次の運転に移行させたりする。つまり、蓋ロック検出スイッチ２５は、異常脱水検出スイッチの機能も併せてもっているのである。
【００９２】
すなわち、外槽２が異常振動して外槽２が脱水異常検出レバー１４０の腕部  １４２を外方に押すと、脱水異常検出レバー１４０は押し戻しばね１５２に抗して傾くので、図６に示す状態になる。外槽２が腕部１４２から離れると、押し戻しばね１５２の力で脱水異常検出レバー１４０は戻されるので図５に示す状態に戻る。
【００９３】
図６に示す脱水異常にあっては、脱水異常検出レバー１４０の外部操作部147 が脱水異常検出操作片１２３の下向凸部１２５を下から押し、脱水異常検出操作片１２３の上向凸部１２４が蓋ロック検出スイッチ２５の上可動接片板９０を下から押すので、上可動接片板９０は上に撓み、上可動接片板９０の接点９３が下側可動接片板９１の接点９４から離れて蓋ロック検出スイッチ２５はＯＦＦするのである。
【００９４】
また脱水行程において、図１０に示すように、洗濯兼脱水槽５から洗濯物190 が飛び出すと、飛び出た洗濯物１９０が外槽２の上外周を回るうちに脱水異常検出レバー１４０の腕部１４２を横からたたくことになる。異常検出レバー１４０が横に傾くと、脱水異常検出レバー１４０の外部操作部１４７が脱水異常操作片１２３の下向凸部１２５を下から押し、脱水異常検出操作片１２３の上向凸部  １２４が蓋ロック検出スイッチ２５の上可動接片板９０を下から押すので、上可動接片板９０は上に撓み、上可動接片板９０の接点９３が下側可動接片板９１の接点９４から離れて蓋ロック検出スイッチ２５はＯＦＦする。これによりモータ８の回転は止められるのである。
【００９５】
前に、蓋ロックソレノイド２６に関し、誤動作防止のためにプランジャー３２の先にストッパー受片１６０を設けたことについて触れたが、さらに詳しく述べる。
【００９６】
脱水行程中に、洗濯兼脱水槽５のアンバランス等により外枠１が強く揺れることがある。そして異常脱水検出レバー１４０が作動しないのにもかかわらず、蓋ロック検出スイッチ２５がＯＦＦする誤動作になる。
【００９７】
これは、ストッパー片６２を直接受けていたプランジャー３２が外枠の強い揺れで動いて引っ込むことによるものであることがわかった。すなわち、プランジャー３２が出入りする方向に強い揺れを受けると、鋼材性のプランジャー３２は自重による慣性で動くからである。
【００９８】
引き出しばね１６７のばね力を大きくすると、プランジャー３２の動きを止めることはできるが、それにともなって蓋ロックソレノイド２６を大きくしなければならない不具合がある。
【００９９】
そこで、プランジャー３２の先にストッパー片６２を受け止める重さの軽いストッパー受片１６０を備えるとともに遊び代をもって連結することにより、外枠１が強く揺れても、誤動作することがなくなった。強い揺れを受けても、連結部分の遊び代の範囲でプランジャー３２は動くが、ストッパー片６２を受け止めているストッパー受片１６０を引くことはできない。もちろん、ストッパー受片  １６０は軽いので、それ自体の慣性力は極めて少ないものである。
【０１００】
次に上に述べた本発明の実施形態より特徴的事項について列挙する。
【０１０１】
(1).洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備えるとともに上蓋１００等でユニット枠体３０を被い、前記蓋ロックレバー４０をユニット枠体３０の外側に揺動自在に支持したことを特徴とするものである。
【０１０２】
これにより、電気部品である蓋ロックソレノイド２６と蓋ロック検出スイッチ２５は、蓋ロックレバー４０とは分けてユニット枠体３０に納めたので、防水性が高まり安全性が向上した。
【０１０３】
また蓋ロックソレノイド２６と蓋ロック検出スイッチ２５をユニット枠体３０内に横並び配置したので丈が低く、全体としてコンパクトになるので、蓋ロックユニット１５はトップカバー１２の狭いスペース内に納める上で好都合である。
(2).洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、ユニット枠体３０の外側に揺動自在に支持される前記蓋ロックレバー４０を前記蓋ロックソレノイド２６側寄りに配置し、蓋ロックレバー４０が前記蓋１６に係合して蓋１６を閉じておく蓋ロックの状態では前記プランジャー３２の突き出しで蓋ロックレバー４０を蓋ロックの状態に保持することを特徴とするものである。
【０１０４】
これにより、蓋ロックソレノイド２６と蓋ロック検出スイッチ２５をユニット枠体３０内に横並び配置したので丈が低く、全体としてコンパクトになるので、蓋ロックユニット１５はトップカバー１２の狭いスペース内に納める上で好都合である。
【０１０５】
またユニット枠体３０の外側に揺動自在に支持される蓋ロックレバー４０を前記蓋ロックソレノイド２６側寄りに配置したので、蓋ロックレバー４０を蓋ロック検出スイッチ２５にするものに比べ、プランジャー３２と蓋ロックレバーとのロック関係の機構が簡単でかつコンパクトにまとまるのである。
【０１０６】
(3).洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、前記蓋ロックレバー４０をユニット枠体３０の外側に揺動自在に支持し、この蓋ロックレバー４０には、前記蓋ロック検出スイッチ２５を作動させる蓋ロック検出外部操作板１３０を設け、蓋ロックレバー４０が前記蓋１６に係合して蓋１６を閉じておく蓋ロックの状態では前記プランジャー３２の突き出しで蓋ロックレバー４０を蓋ロックの状態に保持するとともに前記蓋ロック検出スイッチ２５を蓋ロック検出外部操作板１３０で作動させることを特徴とするものである。
【０１０７】
これにより、蓋ロックソレノイド２６と蓋ロック検出スイッチ２５をユニット枠体３０内に横並び配置したので丈が低く、全体としてコンパクトになるので、蓋ロックユニット１５はトップカバー１２の狭いスペース内に納める上で好都合である。
【０１０８】
また蓋ロック検出スイッチ２５を開閉作動させる蓋ロック検出外部操作板130 は、蓋ロックレバー４０と一緒に揺動回転するので、蓋ロック検出スイッチ２５の開閉作動は誤りなく確実に行われる。
【０１０９】
(4).洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、このプランジャー３２を突き出す方向に付勢する引き出しばねを備え、前記ユニット枠体３０の外側に揺動自在に支持し、蓋ロックレバー４０には、前記プランジャー３２が突き出て来るのを阻んだり、逆にプランジャー３２にて行く手が阻まれたりするストッパー片を設け、蓋ロックレバー４０が前記蓋１６に係合して蓋１６を閉じておく蓋ロックの状態では前記プランジャー３２が突き出てストッパー片６２の行く手を阻んで蓋ロックレバー４０を蓋ロックの状態に保持し、蓋１６を開くことができる蓋ロックでない状態では引き出しばねにより突き出ようとする前記プランジャー３２をストッパー片６２で阻むことを特徴とするものである。
【０１１０】
これにより、蓋ロックソレノイド２６と蓋ロック検出スイッチ２５をユニット枠体３０内に横並び配置したので丈が低く、全体としてコンパクトになるので、蓋ロックユニット１５はトップカバー１２の狭いスペース内に納める上で好都合である。
【０１１１】
また蓋ロックレバー４０が前記蓋１６に係合して蓋１６を閉じておく蓋ロックの状態では前記プランジャー３２が突き出てストッパー片６２の行く手を阻んで蓋ロックレバー４０を蓋ロックの状態に保持し、蓋１６を開くことができる蓋ロックでない状態では引き出しばねにより突き出ようとする前記プランジャー３２をストッパー片６２で阻むようにしたので、簡単な構成により、蓋１６のロックおよび蓋１６を開くことができる二つの状態を確実に保持でき、切り替わる際の動作不良も生じないのである。
【０１１２】
(5).洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、このプランジャー３２を突き出す方向に付勢する引き出しばねを備え、プランジャー３２の先端側にストッパー受片１６０を備え、ストッパー受片１６０に連結凸部１６５を設け、プランジャー３２の先端側に連結凸部１６５が嵌まる連結孔１６６を設け、この連結孔１６６は連結凸部１６５が遊び程度に動けるように大きく形成し、前記ユニット枠体３０の外側に揺動自在に支持し、蓋ロックレバー４０には、ストッパー受片１６０が突き出て来るのを阻んだり、逆にストッパー受片１６０にて行く手が阻まれたりするストッパー片を設け、蓋ロックレバー４０が前記蓋１６に係合して蓋１６を閉じておく蓋ロックの状態では前記ストッパー受片１６０が突き出てストッパー片６２の行く手を阻んで蓋ロックの状態を保持し、蓋１６を開くことができる蓋ロックでない状態では引き出しばねにより突き出ようとする前記ストッパー受片１６０をストッパー片６２で阻むことを特徴とするものである。
【０１１３】
これにより、蓋ロックソレノイド２６と蓋ロック検出スイッチ２５をユニット枠体３０内に横並びに配置したので丈が低く、全体としてコンパクトになるので、蓋ロックユニット１５はトップカバー１２の狭いスペース内に納める上で好都合である。
【０１１４】
また蓋ロックレバー４０が前記蓋１６に係合して蓋１６を閉じておく蓋ロックの状態では前記ストッパー受片１６０が突き出てストッパー片６２の行く手を阻んで蓋ロックの状態を保持し、蓋１６を開くことができる蓋ロックでない状態では引き出しばねにより突き出ようとする前記ストッパー受片１６０をストッパー片６２で阻むようにしたので、簡単な構成により、蓋１６のロックおよび蓋１６を開くことができる二つの状態を確実に保持でき、切り替わる際の動作不良も生じないのである。
【０１１５】
さらに、ストッパー受片１６０に連結凸部１６５を設け、プランジャー３２の先端側に連結凸部１６５が嵌まる連結孔１６６を設け、この連結孔１６６は連結凸部１６５が遊び程度に動けるように大きく形成したので、振動等の衝撃にプランジャー３２が出入方向に多少動いてもプランジャー３２の動きは、連結部の遊びで吸収され、ストッパー受片１６０がプランジャーの動きにつれて動くことがない。このため、蓋ロック状態が衝撃等で解除してしまう誤動作が生じないのである。
【０１１６】
また連結部に遊びがあるので、プランジャー３２が少し引かれた後にストッパー受片１６０が引かれ始める。プランジャー３２を引いて少し勢いがついてから、ストッパー片６２の突き当てで重くなっているストッパー受片１６０を引くことになるので、ストッパー片６２を引くと同時にストッパー受片１６０を引くものと違って楽に引けるので、蓋ロックソレノイド２６に流れる初期電流を低く抑えることができる。
【０１１７】
なお、連結凸部１６５をプランジャー３２に、連結孔１６６をストッパー受片１６０に設けるようにしてもよい。
【０１１８】
(6).洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、このプランジャー３２を突き出す方向に付勢する引き出しばねを備え、プランジャー３２の先端側にストッパー受片１６０を備え、ストッパー受片１６０に連結凸部１６５を設け、プランジャー３２の先端側に連結凸部１６５が嵌まる連結孔１６６を設け、この連結孔１６６は連結凸部１６５が遊び程度に動けるように大きく形成し、前記引き出しばねの一端を連結孔１６６に係止し、前記ユニット枠体３０の外側に揺動自在に支持し、蓋ロックレバー４０には、ストッパー受片１６０が突き出て来るのを阻んだり、逆にストッパー受片１６０にて行く手が阻まれたりするストッパー片を設け、蓋ロックレバー４０が前記蓋１６に係合して蓋１６を閉じておく蓋ロックの状態では前記ストッパー受片160 が突き出てストッパー片６２の行く手を阻んで蓋ロックの状態を保持し、蓋１６を開くことができる蓋ロックでない状態では引き出しばねにより突き出ようとする前記ストッパー受片１６０をストッパー片６２で阻むことを特徴とするものである。
【０１１９】
これにより、蓋ロックソレノイド２６と蓋ロック検出スイッチ２５をユニット枠体３０内に横並びに配置したので丈が低く、全体としてコンパクトになるので、蓋ロックユニット１５はトップカバー１２の狭いスペース内に納める上で好都合である。
【０１２０】
また蓋ロックレバー４０が前記蓋１６に係合して蓋１６を閉じておく蓋ロックの状態では前記ストッパー受片１６０が突き出てストッパー片６２の行く手を阻んで蓋ロックの状態を保持し、蓋１６を開くことができる蓋ロックでない状態では引き出しばねにより突き出ようとする前記ストッパー受片１６０をストッパー片６２で阻むようにしたので、簡単な構成により、蓋１６のロックおよび蓋１６を開くことができる二つの状態を確実に保持でき、切り替わる際の動作不良も生じないのである。
【０１２１】
さらに、ストッパー受片１６０に連結凸部１６５を設け、プランジャー３２の先端側に連結凸部１６５が嵌まる連結孔１６６を設け、この連結孔１６６は連結凸部１６５が遊び程度に動けるように大きく形成したので、振動等の衝撃にプランジャー３２が出入方向に多少動いてもプランジャー３２の動きは、連結部の遊びで吸収され、ストッパー受片１６０がプランジャーの動きにつれて動くことがない。このため、蓋ロック状態が衝撃等で解除してしまう誤動作が生じないのである。
【０１２２】
また連結部に遊びがあるので、プランジャー３２が少し引かれた後にストッパー受片１６０が引かれ始める。プランジャー３２を引いて少し勢いがついてから、ストッパー片６２の突き当てで重くなっているストッパー受片１６０を引くことになるので、ストッパー片６２を引くと同時にストッパー受片１６０を引くものと違って楽に引けるので、蓋ロックソレノイド２６に流れる初期電流を低く抑えることができる。
【０１２３】
さらにまたストッパー受片１６０に連結凸部１６５を設け、プランジャー３２の先端側に連結凸部１６５が嵌まる連結孔１６６を設け、プランジャー３２を前記引き出しばねの一端を連結孔１６６に係止したので、連結孔１６と引き出しばねを係止するところを別に設けなくても済むので、構造がそれだけ簡単になるのである。
【０１２４】
(7).洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、前記蓋ロックレバー４０をユニット枠体３０の外側に揺動自在に支持し、脱水異常検知レバーをユニット枠体３０の外側に揺動自在に支持し、蓋ロックレバー４０が前記蓋１６に係合して蓋１６を閉じておく蓋ロックの状態では前記プランジャー３２の突き出しで蓋ロックレバー４０を蓋ロックの状態に保持するとともに前記蓋ロック検出スイッチ２５が（オン）にし、脱水行程中に、脱水異常検知レバーが作動することにより、蓋ロック検出スイッチ２５を(オフ)にすることを特徴とするものである。
【０１２５】
これにより、蓋ロックソレノイド２６と蓋ロック検出スイッチ２５をユニット枠体３０内に横並びに配置したので丈が低く、全体としてコンパクトになるので、蓋ロックユニット１５はトップカバー１２の狭いスペース内に納める上で好都合である。
【０１２６】
また脱水異常検知レバーを備え、脱水異常に脱水異常検知レバーで蓋ロック検出スイッチ２５を操作するようにしたので、蓋ロック検出スイッチ２５は脱水異常検知スイッチをも兼ねるので、簡単な構成で複数のスイッチ機能を持つことができる。
【０１２７】
なお、蓋ロック検出スイッチ２５は、蓋１６を開くことができる状態では（オン）、蓋ロックの状態では（オフ）、脱水異常では（オン）になるような使い方でも同じである。
【０１２８】
(8).洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、前記蓋ロックレバー４０をユニット枠体３０の下側に設けた支持足４４，４５に揺動自在に支持し、脱水異常検知レバーを前記支持足４４，４５に揺動自在に支持し、蓋ロックレバー４０が前記蓋１６に係合して蓋１６を閉じておく蓋ロックの状態では前記プランジャー３２の突き出しで蓋ロックレバー  ４０を蓋ロックの状態に保持するとともに前記蓋ロック検出スイッチ２５を（オン）にし、脱水行程中に、脱水異常検知レバーが作動することにより、蓋ロック検出スイッチ２５を（オフ）にすることを特徴とするものである。
【０１２９】
これにより、蓋ロックソレノイド２６と蓋ロック検出スイッチ２５をユニット枠体３０内に横並びに配置したので丈が低く、全体としてコンパクトになるので、蓋ロックユニット１５はトップカバー１２の狭いスペース内に納める上で好都合である。
【０１３０】
また脱水異常検知レバーを備え、脱水異常に脱水異常検知レバーで蓋ロック検出スイッチ２５を操作するようにしたので、蓋ロック検出スイッチ２５は脱水異常検知スイッチをも兼ねるので、簡単な構成で複数のスイッチ機能を持つことができる。
【０１３１】
さらに前記蓋ロックレバー４０と、脱水異常検知レバーを同じ支持足４４，  ４５に一緒に揺動自在に支持したので、支持部の構成が簡単で、組立性が向上した。
【０１３２】
(9).洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、前記蓋ロックレバー４０をユニット枠体３０の外側に揺動自在に支持し、蓋ロックレバー４０に蓋ロック検出外部操作板１３０を設け、前記ユニット枠体には一体に形成され、かつユニット枠体とつながるところを支点として上下に揺動する蓋ロック検出操作片１２０を設け、この蓋ロック検出操作片120は、前記蓋ロック検出外部操作板１３０と蓋ロック検出スイッチ２５との間に介在されるように配置し、蓋ロックレバー４０が前記蓋１６に係合して蓋１６を閉じておく蓋ロックの状態では前記プランジャー３２の突き出しで蓋ロックレバー４０を蓋ロックの状態に保持するとともに蓋ロック検出操作片１２０を介して蓋ロック検出外部操作板１３０により、前記蓋ロック検出スイッチ２５を（オン）するようにしたことを特徴とするものである。
【０１３３】
これにより、蓋ロックソレノイド２６と蓋ロック検出スイッチ２５をユニット枠体３０内に横並びに配置したので丈が低く、全体としてコンパクトになるので、蓋ロックユニット１５はトップカバー１２の狭いスペース内に納める上で好都合である。
【０１３４】
また蓋ロック検出操作片１２０はユニット枠体３０と一体に形成したので、別部品を用いるものに比べ、部品数が少なく構成が簡単である。
【０１３５】
なお、蓋ロック検出操作片１２０を介在させずに、蓋ロック検出外部操作板  １３０で、直に蓋ロック検出スイッチ２５を操作することが可能である。部品数が増えない良さはあるが、蓋ロック検出外部操作板１３０が出入りする穴をユニット枠体３０に設けねばならない。水，ごみ等が入り易くなるので、安全性，誤動作の問題があるので、蓋ロック検出操作片１２０を介在させることが無難である。
【０１３６】
また蓋ロックの状態で前記蓋ロック検出スイッチ２５を（オン）しているが、（オフ）になるような使い方でも良い。
【０１３７】
(10). 洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、前記蓋ロックレバー４０をユニット枠体３０の下側に設けた支持足４４，４５の支持軸４６，４７に揺動自在に支持し、脱水異常検知レバー１４０を支持軸４６，４７の軸受孔１４５，１４６に揺動自在に支持し、この軸受孔１４５は縦方向に長い縦長穴にし、蓋ロックレバー４０が前記蓋１６に係合して蓋１６を閉じておく蓋ロックの状態では前記プランジャー３２の突き出しで蓋ロックレバー４０を蓋ロックの状態に保持するとともに前記蓋ロック検出スイッチ２５を（オン）にし、脱水行程中に、脱水異常検知レバーが作動することにより、蓋ロック検出スイッチ２５を（オフ）にし、脱水中に飛び出した衣類が脱水異常検知レバー１４０に横からあたることにより、脱水異常検知レバー１４０の一方の支持点が縦長穴の軸受孔１４５を滑って横に倒れかかると蓋ロック検出スイッチ２５を（オフ）にすることを特徴とするものである。
【０１３８】
これにより、蓋ロックソレノイド２６と蓋ロック検出スイッチ２５をユニット枠体３０内に横並びに配置したので丈が低く、全体としてコンパクトになるので、蓋ロックユニット１５はトップカバー１２の狭いスペース内に納める上で好都合である。
【０１３９】
また脱水異常検知レバーを備え、脱水異常に脱水異常検知レバーで蓋ロック検出スイッチ２５を操作するようにしたので、蓋ロック検出スイッチ２５は脱水異常検知スイッチをも兼ねるので、簡単な構成で複数のスイッチ機能を持つことができる。
【０１４０】
さらに前記蓋ロックレバー４０と、脱水異常検知レバーを同じ支持足４４，  ４５に一緒に揺動自在に支持したので、支持部の構成が簡単で、組立性が向上した。
【０１４１】
また脱水中に飛び出した衣類が脱水異常検知レバー１４０に横からあたることにより、脱水異常検知レバー１４０の一方の支持点が縦長穴の軸受孔１４５を滑って横に倒れかかると蓋ロック検出スイッチ２５を（オフ）にするようにしたので、衣類の飛び出し検知スイッチをも兼ねているのである。
【０１４２】
(11)．洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、このプランジャー３２を突き出す方向に付勢する引き出しばね１６７を備え、ユニット枠体３０に上蓋を被せ、前記蓋ロックレバー４０をユニット枠体３０の外側に揺動自在に支持し、蓋ロックレバー４０にストッパー４２を設け、蓋ロックレバー４０を蓋ロックの解除方向に付勢する復帰ばね１７０を備え、この復帰ばね１７０は、前記上蓋の上側に形成した凹に入るように配置し、蓋ロックレバー４０前記蓋１６に係合して蓋１６を閉じておく蓋ロックの状態では前記プランジャー３２が突き出てストッパー片６２の行く手を阻んで蓋ロックレバー４０を蓋ロックの状態に保持し、蓋１６を開くことができる蓋ロックでない状態では引き出しばね１６７により突き出ようとする前記プランジャー３２をストッパー片６２で阻むことを特徴とするものである。
【０１４３】
これにより、蓋ロックソレノイド２６と蓋ロック検出スイッチ２５をユニット枠体３０内に横並びに配置したので丈が低く、全体としてコンパクトになるので、蓋ロックユニット１５はトップカバー１２の狭いスペース内に納める上で好都合である。
【０１４４】
また蓋ロックレバー４０が前記蓋１６に係合して蓋１６を閉じておく蓋ロックの状態では前記プランジャー３２が突き出てストッパー片６２の行く手を阻んで蓋ロックレバー４０を蓋ロックの状態に保持し、蓋１６を開くことができる蓋ロックでない状態では引き出しばねにより突き出ようとする前記プランジャー３２をストッパー片６２で阻むようにしたので、簡単な構成により、蓋１６のロックおよび蓋１６を開くことができる二つの状態を確実に保持でき、切り替わる際の動作不良も生じないのである。
【０１４５】
さらに復帰ばね１７０を上蓋１００の上に形成した凹に入るように配置したので、復帰ばね１７０が上蓋１００の上にあまり突き出ないので、コンパクトになる。
【０１４６】
(12)．洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、このプランジャー３２を突き出す方向に付勢する引き出しばね１６７を備え、ユニット枠体３０に上蓋１００を被せ、前記蓋ロックレバー４０をユニット枠体３０の外側に揺動自在に支持し、蓋ロックレバー４０にストッパー４２を設け、蓋ロックレバー４０を蓋ロックの解除方向に付勢する復帰ばね  １７０を備え、ストッパー４２には、前記プランジャー３２が突き出て来るのを阻んだり、逆にプランジャー３２にて行く手が阻まれたりするストッパー片６２を設け、このストッパー片６２の上隣に縦並びに配置されるばね止め片６３をストッパー４２に設け、ばね止め片６３に一端が掛けられた前記復帰ばね１７０をばね止め片６３の先端から真っ直な方向に沿うように配置して他端を前記上蓋  １００のばね止めフックに掛け、蓋ロックレバー４０が前記蓋１６に係合して蓋１６を閉じておく蓋ロックの状態では前記プランジャー３２が突き出てストッパー片６２の行く手を阻んで蓋ロックレバー４０を蓋ロックの状態に保持し、蓋  １６を開くことができる蓋ロックでない状態では引き出しばね１６７により突き出ようとする前記プランジャー３２をストッパー片６２で阻むことを特徴とするものである。
【０１４７】
これにより、蓋ロックソレノイド２６と蓋ロック検出スイッチ２５をユニット枠体３０内に横並びに配置したので丈が低く、全体としてコンパクトになるので、蓋ロックユニット１５はトップカバー１２の狭いスペース内に納める上で好都合である。
【０１４８】
また蓋ロックレバー４０が前記蓋１６に係合して蓋１６を閉じておく蓋ロックの状態では前記プランジャー３２が突き出てストッパー片６２の行く手を阻んで蓋ロックレバー４０を蓋ロックの状態に保持し、蓋１６を開くことができる蓋ロックでない状態では引き出しばねにより突き出ようとする前記プランジャー３２をストッパー片６２で阻むようにしたので、簡単な構成により、蓋１６のロックおよび蓋１６を開くことができる二つの状態を確実に保持でき、切り替わる際の動作不良も生じないのである。
【０１４９】
さらにばね止め片６３に一端が掛けられた前記復帰ばね１７０をばね止め片  ６３の先端から真っ直な方向に沿うように配置したので、復帰ばね１７の力が蓋ロックレバー４０に真っ直に作用するので、ばね力が有効に働くとともに蓋ロックレバー４０を捩じ曲げるような力がかからないのである。
【０１５０】
(13)．洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、このプランジャー３２を突き出す方向に付勢する引き出しばねを備え、前記蓋ロックレバー４０をユニット枠体３０の外側に揺動自在に支持し、前記蓋ロックレバー４０はロック爪５４を有するとともに蓋押上げ部材４３を備え、蓋押上げ部材４３は蓋ロックレバー４０に上下にスライド自在に支持されるとともに押し上げばね４２により上方に付勢され、蓋ロックレバー４０にストッパー片６２を設け、蓋ロックレバー４０を蓋ロックの解除方向に付勢する復帰ばね１７０を備え、蓋ロックレバー４０が前記蓋１６に係合して蓋１６を閉じておく蓋ロックの状態では前記プランジャー３２が突き出てストッパー片６２の行く手を阻んで蓋ロックレバー４０を蓋ロックの状態に保持し、蓋１６を開くことができる蓋ロックでない状態では引き出しばね１６７により突き出ようとする前記プランジャー３２をストッパー片６２で阻むようにし、さらに蓋１６がロックされていない状態では、蓋押上げ部材４３で蓋１６を押し上げることを特徴とするものである。
【０１５１】
これにより、蓋ロックソレノイド２６と蓋ロック検出スイッチ２５をユニット枠体３０内に横並びに配置したので丈が低く、全体としてコンパクトになるので、蓋ロックユニット１５はトップカバー１２の狭いスペース内に納める上で好都合である。
【０１５２】
また蓋ロックレバー４０が前記蓋１６に係合して蓋１６を閉じておく蓋ロックの状態では前記ストッパー受片１６０が突き出てストッパー片６２の行く手を阻んで蓋ロックの状態を保持し、蓋１６を開くことができる蓋ロックでない状態では引き出しばねにより突き出ようとする前記ストッパー受片１６０をストッパー片６２で阻むようにしたので、簡単な構成により、蓋１６のロックおよび蓋１６を開くことができる二つの状態を確実に保持でき、切り替わる際の動作不良も生じないのである。
【０１５３】
さらに、蓋１６がロックされていない状態では、蓋押上げ部材４３で蓋１６を押し上げるようにしているので、蓋１６に手が掛けやすく、容易に蓋１６を開くことができるのである。
【０１５４】
(14)．洗濯機の外枠１と、この外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、横並びに蓋ロックソレノイド２６および蓋ロック検出スイッチ２５を備え、蓋ロックソレノイド２６に出入り移動するプランジャー３２を備え、このプランジャー３２を突き出す方向に付勢する引き出しばねを備え、前記蓋ロックレバー４０をユニット枠体３０の外側に揺動自在に支持し、前記蓋ロックレバー４０はロック爪５４を有するとともに蓋押上げ部材４３を備え、蓋押上げ部材４３は蓋ロックレバー４０に上下にスライド自在に支持されるとともに押し上げばね４２により上方に付勢され、蓋ロックレバー４０にストッパー片６２を設け、蓋ロックレバー４０を蓋ロックの解除方向に付勢する復帰ばね１７０を備え、蓋１６の手前側端部に爪受部１７８を設け、この爪受部178は、奥側に壁１７９が、底側に底板部１８０を有する凹にし、蓋ロックレバー４０のロック爪５４が前記蓋１６の爪受部１７８に係合して蓋１６を閉じておく蓋ロックの状態では前記プランジャー３２が突き出てストッパー片６２の行く手を阻んで蓋ロックレバー４０を蓋ロックの状態に保持し、蓋１６を開くことができる蓋ロックでない状態では引き出しばね１６７により突き出ようとする前記プランジャー３２をストッパー片６２で阻むようにし、さらに蓋１６がロックされていない状態では、蓋押上げ部材４３で爪受部１７８の底板部１８０を下から押し上げることを特徴とするものである。
【０１５５】
これにより、蓋ロックソレノイド２６と蓋ロック検出スイッチ２５をユニット枠体３０内に横並び配置したので丈が低く、全体としてコンパクトになるので、蓋ロックユニット１５はトップカバー１２の狭いスペース内に納める上で好都合である。
【０１５６】
また蓋ロックレバー４０のロック爪５４が前記蓋１６の爪受部１７８に係合して蓋１６を閉じておく蓋ロックの状態では前記ストッパー受片１６０が突き出てストッパー片６２の行く手を阻んで蓋ロックの状態を保持し、蓋１６を開くことができる蓋ロックでない状態では引き出しばねにより突き出ようとする前記ストッパー受片１６０をストッパー片６２で阻むようにしたので、簡単な構成により、蓋１６のロックおよび蓋１６を開くことができる二つの状態を確実に保持でき、切り替わる際の動作不良も生じないのである。
【０１５７】
さらに、蓋１６がロックされていない状態では、蓋押上げ部材４３で爪受部  １７８の底板部１８０を下から押し上げるようにしているので、爪受部１７８に手が掛けやすく、容易に蓋１６を開くことができるのである。
【０１５８】
(15)．洗濯機の外枠１と、この外枠１内に置かれる外槽２と、この外槽２内に置かれる洗濯兼脱水槽５と、外槽２の下側に備わるモータ８と、外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、洗濯兼脱水槽５の脱水行程回転は、上から見て時計方向に規定し、蓋ロックユニット１５には前側右位置に配置し、蓋ロックユニット１５のユニット枠体３０内に、蓋ロックソレノイド２６および蓋ロック検出スイッチ２５を備え、蓋ロックソレノイド２６に出入り移動するプランジャー３２を備え、前記蓋ロックレバー４０をユニット枠体３０の外側に揺動自在に支持し、脱水異常検知レバー１４０をユニット枠体３０の外側に揺動自在に支持し、蓋ロックレバー４０が前記蓋１６に係合して蓋１６を閉じておく蓋ロックの状態では前記プランジャー３２の突き出しで蓋ロックレバー４０を蓋ロックの状態に保持するとともに前記蓋ロック検出スイッチ２５を（オン）にし、脱水行程中に、脱水異常検知レバーが作動することにより、蓋ロック検出スイッチ２５を（オフ）することを特徴とするものである。
【０１５９】
これにより、脱水異常検知レバーを備え、脱水異常に脱水異常検知レバーで蓋ロック検出スイッチ２５を操作するようにしたので、蓋ロック検出スイッチ２５は脱水異常検知スイッチをも兼ねるので、簡単な構成で複数のスイッチ機能を持つことができる。
【０１６０】
また通常、蓋１６の開・閉を右手でする場合が多く、蓋１６がロック状態であるのにもかかわらず、誤って蓋１６で開けようとした場合、右手を掛けたところに蓋ロックユニット１５があるため、左側に蓋ロックユニット１５が配置するものと違い、蓋１６がねじれて変形するようなことは生じないのである。
【０１６１】
(16)．洗濯機の外枠１と、この外枠１内に置かれる外槽２と、この外槽２内に置かれる洗濯兼脱水槽５と、外槽２の下側に備わるモータ８と、外枠１の上部に備わるトップカバー１２と、このトップカバー１２に備わる開閉自在なる蓋１６と、トップカバー１２に備わる蓋ロックユニット１５と、この蓋ロックユニット１５に備えられ、かつ前記蓋１６に係合・離脱する蓋ロックレバー４０とを有するものであって、蓋ロックユニット１５のユニット枠体３０内に、蓋ロックソレノイド２６および蓋ロック検出スイッチ２５を備え、蓋ロックソレノイド２６に出入り移動するプランジャー３２を備え、前記蓋ロックレバー４０をユニット枠体３０の下側に設けた支持足に揺動自在に支持し、蓋ロックレバー４０が前記蓋１６に係合して蓋１６を閉じておく蓋ロックの状態では前記プランジャー３２が突き出てストッパー片６２の行く手を阻んで蓋ロックレバー４０を蓋ロックの状態に保持し、蓋１６を開くことができる蓋ロックでない状態では引き出しばね  １６７により突き出ようとする前記プランジャー３２をストッパー片６２で阻み、ユニット枠体３０に上蓋１００を被せ、ユニット枠体３０の対向側辺に蓋ロックユニット１５をトップカバー１２に取り付ける止めねじのねじ通し孔１７４，１７５を設け、前記蓋ロックレバー４０の揺動自在なる支持軸線が前記ねじ通し孔１７４，１７５を設けないユニット枠体３０の側辺に沿うように設け、前記上蓋１００をユニット枠体３０に止める上蓋１００の係止壁１０３，１０４および係止爪１０５，１０６は、ねじ通し孔１７４，１７５を設けないユニット枠体  ３０の側辺に対面側に形成することを特徴とするものである。
【０１６２】
これにより、蓋ロックレバー４０のロック爪５４が前記蓋１６の爪受部１７８に係合して蓋１６を閉じておく蓋ロックの状態では前記ストッパー受片１６０が突き出てストッパー片６２の行く手を阻んで蓋ロックの状態を保持し、蓋１６を開くことができる蓋ロックでない状態では引き出しばねにより突き出ようとする前記ストッパー受片１６０をストッパー片６２で阻むようにしたので、簡単な構成により、蓋１６のロックおよび蓋１６を開くことができる二つの状態を確実に保持でき、切り替わる際の動作不良も生じないのである。
【０１６３】
また蓋ロックの状態では、ユニット枠体３０を係止壁１０３，１０４および係止爪１０５，１０６がある方から見ると、上向き湾曲するように変形する。これは、蓋ロックレバー４０で、蓋１６を引き寄せる力にこうして反るものである。この変形で、係止壁１０３，１０４および係止爪１０５，１０６を設けない側辺側は上蓋１００とユニット枠体３０の合わせ部が開く。この開いてしまう合わせ部を避けて係止壁１０３，１０４および係止爪１０５，１０６を設けたので、係止爪１０５，１０６による係合が外れないのである。
【０１６４】
【発明の効果】
以上述べたとおり、本発明は、洗濯機の外枠と、この外枠の上部に備わるトップカバーと、このトップカバーに備わる開閉自在なる蓋と、トップカバーに備わる蓋ロックユニットと、この蓋ロックユニットに備えられ、かつ前記蓋に係合・離脱する蓋ロックレバーとを有するものであって、蓋ロックユニットのユニット枠体内に、横並びに蓋ロックソレノイドおよび蓋ロック検出スイッチを備え、蓋ロックソレノイドに出入り移動するプランジャーを備え、このプランジャーを突き出す方向に付勢する引き出しばねを備え、プランジャーの先端側にストッパー受片を備え、ストッパー受片に連結凸部を設け、プランジャーの先端側に連結凸部が嵌まる連結孔を設け、この連結孔は連結凸部が遊び程度に動けるように大きく形成し、前記をユニット枠体の外側に揺動自在に支持し、蓋ロックレバーには、ストッパー受片が突き出て来るのを阻んだり、逆にストッパー受片にて行く手が阻まれたりするストッパー片を設け、蓋ロックレバーが前記蓋に係合して蓋を閉じておく蓋ロックの状態では前記ストッパー受片が突き出てストッパー片の行く手を阻んで蓋ロックの状態を保持し、蓋を開くことができる蓋ロックでない状態では引き出しばねにより突き出ようとする前記ストッパー受片をストッパー片で阻むことを特徴とする洗濯機にある。
【０１６５】
この構成によれば、次の良さが期待できる。
【０１６６】
(1).蓋ロックソレノイドと蓋ロック検出スイッチをユニット枠体内に横並び配置したので丈が低く、全体としてコンパクトになるので、蓋ロックユニットはトップカバーの狭いスペース内に納める上で好都合である。
【０１６７】
また蓋ロックレバーが前記蓋に係合して蓋を閉じておく蓋ロックの状態では前記ストッパー受片が突き出てストッパー片の行く手を阻んで蓋ロックの状態を保持し、蓋を開くことができる蓋ロックでない状態では引き出しばねにより突き出ようとする前記ストッパー受片をストッパー片で阻むようにしたので、簡単な構成により、蓋のロックおよび蓋を開くことができる二つの状態を確実に保持でき、切り替わる際の動作不良も生じないのである。
【０１６８】
さらに、ストッパー受片に連結凸部を設け、プランジャーの先端側に連結凸部が嵌まる連結孔を設け、この連結孔は連結凸部が遊び程度に動けるように大きく形成したので、振動等の衝撃にプランジャーが出入方向に多少動いてもプランジャーの動きは、連結部の遊びで吸収され、ストッパー受片がプランジャーの動きにつれて動くことがない。このため、蓋ロック状態が衝撃等で解除してしまう誤動作が生じないのである。
【０１６９】
また連結部に遊びがあるので、プランジャーが少し引かれた後にストッパー受片が引かれ始める。プランジャーを引いて少し勢いがついてから、ストッパー片の突き当てで重くなっているストッパー受片を引くことになるので、ストッパー片を引くと同時にストッパー受片を引くものと違って楽に引けるので、蓋ロックソレノイドに流れる初期電流を低く抑えることができる。
【図面の簡単な説明】
【図１】本発明の一実施形態を示す全自動洗濯機の縦断面図である。
【図２】図１に示した全自動洗濯機を上から見た平面図である。
【図３】図１に示した全自動洗濯機の電気回路図である。
【図４】図１に示した全自動洗濯機で、蓋ロックユニットが蓋をロックしていない状態を示す図である。
【図５】図１に示した全自動洗濯機で、蓋ロックユニットが蓋をロックしている状態を示す図である。
【図６】図１に示した全自動洗濯機で、蓋ロックユニットが蓋をロックしている状態にあって、脱水異常検出レバーが作動した状態を示す図である。
【図７】図４，図５，図６に示した蓋ロックユニットの単体図で、蓋をロックしていない状態に相当する図である。
【図８】図７と同様な蓋ロックユニットの単体図で、蓋をロックしている状態に相当する図である。
【図９】図８を横から見て、蓋ロック検出スイッチを断面して示した図である。
【図１０】図９に示す図にあって、飛び出した洗濯物が脱水異常検出レバーに横からあたって脱水異常検出レバーを作動させた状態を示した図である。
【図１１】上記図に示した蓋ロックユニットの単体図で、上蓋を外して上から覗いた蓋をロックしている状態に相当する図である。
【図１２】図１１と同様な蓋ロックユニットの単体図で、上蓋を外して上から覗いた蓋をロックしていない状態に相当する図である。
【図１３】上蓋したもとでの図１２に相当する図である。
【図１４】上記図に示した蓋ロックユニットに係るユニット枠体の単品図で、ユニット枠体の上から見た平面図である。
【図１５】図１４の１５／Ｉ−１５／II断面図である。
【図１６】図１４の１６／Ｉ−１６／II断面図である。
【図１７】図１４をＰ矢印方向から見た図である。
【図１８】図１４をＱ矢印方向から見た図である。
【図１９】上記図に示した蓋ロックユニットに係る上蓋の単品図で、上蓋を内側から見た平面図である。
【図２０】図１９をＰ矢印方向から見た図である。
【図２１】上記図に示した蓋ロックユニットに係るユニット枠体と上蓋を示すもので、ユニット枠体に上蓋を取り付ける前の状態を示す図である。
【図２２】上記図に示した蓋ロックユニットに係るロックレバー主体の単品図である。
【図２３】図２２をＰ矢印方向から見た図である。
【図２４】図２２をＱ矢印方向から見た図である。
【図２５】上記図に示した蓋ロックユニットに係るストッパーの単品図である。
【図２６】図２５をＰ矢印方向から見た図である。
【図２７】上記図に示した蓋ロックユニットに係るプランジャーとストッパー受片を示す拡大斜視図である。
【符号の説明】
１…外枠、１２…トップカバー、１５…蓋ロックユニット、１６…蓋、２５…蓋ロック検出スイッチ、２６…蓋ロックソレノイド、３０…ユニット枠体、４０…蓋ロックレバー、１００…上蓋。
【図１】
0004178611.tif 000002
【図２】
0004178611.tif 000003
【図３】
0004178611.tif 000004
【図４】
0004178611.tif 000005
【図５】
0004178611.tif 000006
【図６】
0004178611.tif 000007
【図７】
0004178611.tif 000008
【図８】
0004178611.tif 000009
【図９】
0004178611.tif 000010
【図１０】
0004178611.tif 000011
【図１１】
0004178611.tif 000012
【図１２】
0004178611.tif 000013
【図１３】
0004178611.tif 000014
【図１４】
0004178611.tif 000015
【図１５】
0004178611.tif 000016
【図１６】
0004178611.tif 000017
【図１７】
0004178611.tif 000018
【図１８】
0004178611.tif 000019
【図１９】
0004178611.tif 000020
【図２０】
0004178611.tif 000021
【図２１】
0004178611.tif 000022
【図２２】
0004178611.tif 000023
【図２３】
0004178611.tif 000024
【図２４】
0004178611.tif 000025
【図２５】
0004178611.tif 000026
【図２６】
0004178611.tif 000027
【図２７】
0004178611.tif 000028